(57)【要約】【課題】簡易に基板の取り付けや取り外しを行うことができる記録装置を提供する。【解決手段】記録装置１００は、制御基板および電源基板を基板ボックス２０に収納し、この基板ボックス２０を背面の開口１３から引き出し自在に構成する。また、この基板ボックス２０は、側面および背面だけに通気孔が形成され、基板に紙粉が付着するのを防止している。【選択図】　　　図１
2004142192.tif 000002
【特許請求の範囲】
【請求項１】
基板と、この基板と電気的に接続される駆動機構とを内部に収納する記録装置において、
前記基板を収納し、シールド板で囲った基板ボックスを有し、
前記基板ボックスが前記記録装置から引き出し自在に取り付けられていることを特徴とする記録装置。
【請求項２】
基板と、この基板と接続される駆動機構とを内部に収納する記録装置において、
前記基板を収納し、シールド板で囲った基板ボックスを有し、
前記記録装置の筐体は、上ケースと下ケースとを備え、
前記下ケースの内部空間に前記駆動機構を避けて空き空間を設け、この空き空間に、前記基板ボックスを略水平方向に引き出し自在に設けることを特徴とする記録装置。
【請求項３】
基板と、この基板と接続される駆動機構とを内部に収納する記録装置において、
前記基板を収納し、シールド板で囲った基板ボックスを有し、
前記記録装置の筐体は、上ケースと下ケースとを備え、
前記上ケースの内部空間に前記駆動機構を避けて空き空間を設け、この空き空間に、前記基板ボックスを上下方向に引き出し自在に設けることを特徴とする記録装置。
【請求項４】
前記基板ボックスの上面以外の面に通気孔が形成され、
前記記録装置の筐体には、前記基板ボックスがセットされた状態において、前記基板ボックスの通気孔に対向する位置に通気孔が形成されていることを特徴とする請求項１乃至３のいずれかに記載の記録装置。
【請求項５】
前記基板は、前記駆動機構を制御する制御基板と、前記制御基板および駆動機構に電源を供給する電源基板とを含むことを特徴とする請求項１乃至４のいずれかに記載の記録装置。
【請求項６】
前記基板ボックスは、前記基板を冷却するための冷却ファンをさらに収納することを特徴とする請求項１乃至５のいずれかに記載の記録装置。
【請求項７】
前記駆動機構の電気部品から延びるハーネスと、前記基板から延びるハーネスとがコネクタで接続されることを特徴とする請求項１乃至６のいずれかに記載の記録装置。
【発明の詳細な説明】
【０００１】
【発明の属する技術分野】
本発明は、ドットインパクトプリンタなどの記録装置に関する。
【０００２】
【従来の技術】
図９は、従来のドットインパクトプリンタ１の分解斜視図である。この図に示すように、ドットインパクトプリンタ１は、上ケース２を外すことによって、プリンタ本体３が露出するように構成されている。ここで、プリンタ本体３とは、記録ヘッド、用紙搬送機構および駆動用モータなどの駆動機構のユニットである。なお、プリンタ本体３は、下ケース４に固定されている。また、上ケース２には、手動で紙送りを行うためのノブ５が取り付けられ、下ケース４には、排紙トレイ６が取り付けられる。
【０００３】
また、このプリンタ本体３と下ケース４との間には、基板などが配置されている。ここで、図１０は、下ケース４からプリンタ本体３を外した状態での分解斜視図である。同図に示すように、下ケース４には、制御基板６、電源基板７および冷却ファン８などが固定され、その上にシールドプレート９が取り付けられている。なお、これら基板６、７とプリンタ本体３とは電気的に接続されている。
【０００４】
また、従来、画像読取部（スキャナ）と画像印刷部（プリンタ）とを備えた画像処理装置においては、スライド可能なプレートにメイン回路基板を搭載する一方、電源基板はプレート以外の位置に配置したものがある（例えば、特許文献１参照）。
【０００５】
【特許文献１】
特開２００１−２６８２９１号公報（第５−６頁、第４図）
【０００６】
【発明が解決しようとする課題】
しかしながら、上記プリンタ１では、制御基板６や電源基板７を取り外す際、上ケース２とプリンタ本体３を取り外す必要があり、組み立て時やメンテナンス時に手間がかかるという問題があった。また、プリンタ本体３は重く、エッジ部分を有するメカがあるため、プリンタ本体３の取り外しを行う際に作業者がケガをしてしまうおそれがあった。また、基板６、７がむき出しのため、シールドプレート９の隙間から紙粉が侵入し、基板６、７に付着してしまうという問題もあった。また、上記特許文献１の構成のものについても、メイン回路基板がむき出しのためゴミが付着し易いという問題があった。
【０００７】
本発明は、上述した事情に鑑みてなされたものであり、簡易に基板の取り付けや取り外しを行うことができる記録装置を提供することを目的としている。
【０００８】
【課題を解決するための手段】
上述課題を解決するため、請求項１に記載の発明は、基板と、この基板と電気的に接続される駆動機構とを内部に収納する記録装置において、前記基板を収納し、シールド板で囲った基板ボックスを有し、前記基板ボックスが前記記録装置から引き出し自在に取り付けられていることを特徴とする。この構成によれば、基板ボックスが引き出し自在に取り付けられているので、基板の取り付けや取り外しを簡易に行うことができる。
【０００９】
また、請求項２に記載の発明は、基板と、この基板と接続される駆動機構とを内部に収納する記録装置において、前記基板を収納し、シールド板で囲った基板ボックスを有し、前記記録装置の筐体は、上ケースと下ケースとを備え、前記下ケースの内部空間に前記駆動機構を避けて空き空間を設け、この空き空間に、前記基板ボックスを略水平方向に引き出し自在に設けることを特徴とする。この構成によれば、基板ボックスを略水平方向に引き出し自在に取り付けられているので、基板の取り付けや取り外しを簡易に行うことができる。
【００１０】
また、請求項３に記載の発明は、基板と、この基板と接続される駆動機構とを内部に収納する記録装置において、前記基板を収納し、シールド板で囲った基板ボックスを有し、前記記録装置の筐体は、上ケースと下ケースとを備え、前記上ケースの内部空間に前記駆動機構を避けて空き空間を設け、この空き空間に、前記基板ボックスを上下方向に引き出し自在に設けることを特徴とする。この構成によれば、基板ボックスを上下方向に引き出し自在に取り付けられているので、基板の取り付けや取り外しを簡易に行うことができる。
【００１１】
また、請求項４に記載の発明は、請求項１乃至４のいずれかに記載の構成において、前記基板ボックスの上面以外の面に通気孔が形成され、前記記録装置の筐体には、前記基板ボックスがセットされた状態において、前記基板ボックスの通気孔に対向する位置に通気孔が形成されていることを特徴とする。この構成によれば、請求項１乃至４のいずれかに記載の発明の効果に加えて、基板ボックスの上面以外の面に通気孔を形成しているので、通気性を満足しつつ、基板へのゴミの付着を防止できる。
【００１２】
また、請求項５に記載の発明は、請求項１乃至４のいずれかに記載の構成において、前記基板は、前記駆動機構を制御する制御基板と、前記制御基板および駆動機構に電源を供給する電源基板とを含むことを特徴とする。この構成によれば、制御基板および電源基板の取り付けや取り外しを簡易に行うことができる。
【００１３】
また、請求項６に記載の発明は、請求項１乃至５のいずれかに記載の構成において、前記基板を冷却するための冷却ファンをさらに収納することを特徴とする。この構成によれば、冷却ファンの取り付けや取り外しを簡易に行うことができる。
【００１４】
また、請求項７に記載の発明は、請求項１乃至６のいずれかに記載の構成において、前記駆動機構の電気部品から延びるハーネスと、前記基板から延びるハーネスとがコネクタで接続されることができる。この構成によれば、駆動機構と基板とを簡易に接続することができる。
【００１５】
【発明の実施の形態】
以下、図面を参照して本発明の実施形態を詳述する。以下に示す実施形態は、本発明の一態様を示すものであり、この発明を限定するものではなく、本発明の範囲内で任意に変更可能である。
（１）　実施形態
図１は、本発明の記録装置の一例となるドットインパクトプリンタ（以下、プリンタという。）１０の斜視図である。また、図２は、このプリンタの断面図である。
【００１６】
プリンタ１０は、筐体が上ケース１１と下ケース１２とから構成される。また、このプリンタ１０は、基板を収納する基板ボックス２０を有し、背面に形成された開口１３から基板ボックス２０を引き出し可能に構成されている。
【００１７】
すなわち、図２に示すように、このプリンタ１０においては、下ケース１２の前面側に底面から立ち上がるフレーム１４が形成されている。そして、このフレーム１４に沿ってフロントトラクタユニット１９Ｆおよびプリンタ本体（駆動機構）３０が固定されている。これにより、このプリンタ１０においては、プリンタ本体３０および下フレーム１４で囲まれ、また、開口１３と連通する空き空間が形成されるようになっている。言い換えれば、このフレーム１４によってプリンタ本体３０の位置および高さを決定でき、プリンタ本体３０を避けて基板ボックス２０を収容するのに十分な空き空間を形成することができる。なお、符号１９Ｒは、リアトラクタユニットである。
【００１８】
また、開口１３は、下ケース１２および上ケース１１の背面にそれぞれ形成された開口がつながることによって大開口に形成されている（図１参照）。また、下ケース１２は、底面が略水平面に形成されると共に、基板ボックス２０を略水平方向に案内するガイド１５と、基板ボックス２０が当接する当接部１６とが形成されている。
【００１９】
一方、基板ボックス２０は、下ケース１２のガイド１５によって案内される被ガイド部２１と、下ケース１２に挿入した際に上記当接部１６に当接するつば部２２とが形成されている。これによって、基板ボックス２０を、下ケース１２のガイド部２１に従って簡易に下ケース１２内に挿入することができる。さらに、基板ボックス２０を、そのつば部２２が下ケース１２の当接部１６に当接するまで挿入することによって、基板ボックス２０をセットすべき位置にセットすることができる。なお、基板ボックス２０をセット位置にセットする場合は、ネジによって基板ボックス２０とプリンタ１０とを連結するようにしてもよいし、その他のロック機構を用いて連結するようにしてもよい。
【００２０】
さらに、下ケース１２の開口１３側側方には、プリンタ本体３０からのハーネス３１と基板ボックス２０からのハーネス２３とを接続するコネクタ１７が設けられている。このコネクタ１７は、開口１３側に近接した位置に設けられ、これにより、基板ボックス２０からのハーネス２３を開口１３側から簡易に抜き差しできるようになっている。これにより、前掲図２に示すように、基板ボックス２０をプリンタ１０の外に引き出した状態でも、基板ボックス２０とプリンタ本体３０とを電気的に接続でき、プリンタ１０を動作させることが可能となっている。
【００２１】
さらに、前掲図１に示すように、下ケース１２の両側面には、通気孔１８が設けられている。この通気孔１８は、プリンタ１０内にセットされた基板ボックス２１の側面の通気孔２４と対向する位置に形成されている。
【００２２】
次に、基板ボックス２０について説明する。ここで、図３は、基板ボックス２０の分解斜視図である。
【００２３】
基板ボックス２０は、シールドプレート２５、２６とから概略構成され、本実施形態では、この基板ボックス２０に紙案内用部品４０を取り付けた場合を示している。
【００２４】
シールドプレート２５は、底面パネル２５Ａと側面パネル２５Ｂ、２５Ｃとから形成される。底面パネル２５Ａには、メイン基板５０、電源基板５１および冷却ファン（不図示）がネジ止めされる一方、側面パネル２５Ｂ、２５Ｃには、通気孔２５Ｄ、コネクタ用の開口２５Ｅ、および電源コード用の開口（不図示）などが形成される。ここで、コネクタ用の開口２５Ｅは、メイン基板５０に設けられたコネクタ５２に対応する開口であり、電源コード用の開口は、電源基板５１から引き出された電源コードが抜ける開口である。なお、本実施形態では、基板ボックス２０に電源スイッチ２７を設ける場合を示しているが、電源スイッチ２７は、上ケース１１または下ケース１２に設けるようにしてもよい。
【００２５】
一方、シールドプレート２６は、上面パネル２６Ａと側面パネル２６Ｂ、２６Ｃとから構成され、側面パネル２６Ｂ、２６Ｃだけに通気孔２４が形成されている。これにより、この基板ボックス２０においては、各基板５０、５１の上側を完全にカバーすることにより、プリンタ本体３０側から落ちる紙粉が基板５０、５１に付着するのを防止することができる。また、側面および背面に通気孔２５Ｄ、２４が形成されているので、冷却ファンによって基板５０、５１を十分に冷却することができる。
【００２６】
以上説明したように、本実施形態に係るプリンタ１０においては、基板５０、５１を基板ボックス２０に収納し、この基板ボックス２０を引き出し自在に構成しているので、簡単に基板５０、５１を取り出すことができる。したがって、プリンタ本体を外さなければ基板を取り出せない従来構成のものに比して、組み立て時やメンテナンス時の手間を大幅に低減できると共に、作業者がプリンタ本体に触れなくて済むので、作業時の安全性を向上することができる。
【００２７】
また、基板ボックス２０の上面を完全にカバーしているので、基板５０、５１に紙粉が付着するのを防止することができる。また、基板ボックス２０の側面および背面と、下ケース１２の側面とに通気孔を形成しているので、基板ボックス２０の中に十分に冷却風を導くことができる。
【００２８】
また、このプリンタ１０は、従来のものと同様に、プリンタ本体３０が下ケース１２に固定されているので、上ケース１１を外すことによってプリンタ本体３０を露出でき、プリンタ本体３０のメンテナンスも容易に行うことができる。
【００２９】
上述の実施形態では、基板ボックス２０に紙案内用部品４０を取り付ける場合を示したが、図４に示すように、基板ボックス２０にリアトラクタユニット１９Ｒを取り付けるようにしてもよい。この場合、図５に断面図を示すように、基板ボックス２０Ａをプリンタ１０Ａにセットした位置で、リアトラクタユニット６１９Ｒの伝達歯車６１が、プリンタ本体３０のトラクタユニット６０の駆動用歯車６２と係合するように構成することが好ましい。これにより、リアトラクタユニット１９Ｒの後付けや取り外しを容易に行うことができる。なお、図５において、矢印は給紙経路を示している。また、図４、５および以下に述べる各図において、上述したプリンタ１０と同一の構成については同一の符号を付して示している。
【００３０】
また、上述の実施形態では、基板ボックス２０をプリンタ１０の背面から引き出し可能に構成する場合について述べたが、背面以外から引き出し可能に構成してもよい。例えば、図６に一例を示すように、基板ボックス２０Ｂをプリンタ１０Ｂの側面から引き出し可能に構成してもよい。ここで、図７は、この場合の基板ボックス２０Ｂの構成を説明する図である。
【００３１】
また、図７は、基板ボックス２０Ｃをプリンタ１０Ｃの上下方向に引き出し可能に構成した例である。このプリンタ１０Ｃにおいては、上ケース１１の内部空間にプリンタ本体（不図示）を避けて空き空間が設けられ、この空き空間に基板ボックス２０Ｃを配置するようにすればよい。
【００３２】
また、上述の実施形態では、本発明をドットインパクトプリンタに適用する場合について述べたが、インクジェットプリンタ、レーザープリンタなどの様々なプリンタ（記録装置）に広く適用することができる。
【００３３】
【発明の効果】
上述したように本発明によれば、基板の取り付けや取り外しを簡易に行うことができる。
【図面の簡単な説明】
【図１】本発明の記録装置の一例となるドットインパクトプリンタの斜視図である。
【図２】上記プリンタの断面図である。
【図３】上記プリンタの基板ボックスの分解斜視図である。
【図４】変形例に係るプリンタの斜視図である。
【図５】変形例に係るプリンタの断面図である。
【図６】変形例に係るプリンタの斜視図である。
【図７】変形例に係るプリンタの基板ボックスの分解斜視図である。
【図８】変形例に係るプリンタの斜視図である。
【図９】従来のドットインパクトプリンタの分解斜視図である。
【図１０】従来のドットインパクトプリンタのプリンタ本体を外した状態での分解斜視図である。
【符号の説明】
１、１０、１０Ａ、１０Ｂ、１０Ｃ　プリンタ（記録装置）
２、１１　上ケース
３、３０　プリンタ本体（駆動機構）
４、１２　下ケース
２０、２０Ａ、２０Ｂ、２０Ｃ　基板ボックス
６、５０　制御基板
７、５１　電源基板
【図１】
2004142192.tif 000003
【図２】
2004142192.tif 000004
【図３】
2004142192.tif 000005
【図４】
2004142192.tif 000006
【図５】
2004142192.tif 000007
【図６】
2004142192.tif 000008
【図７】
2004142192.tif 000009
【図８】
2004142192.tif 000010
【図９】
2004142192.tif 000011
【図１０】
2004142192.tif 000012